(57)【要約】      （修正有）【課題】女性が興味を引き、販売促進を図ることができる靴下の包装構造を提供する。【解決手段】一対の靴下Ａ１と、その包装用台紙Ｂ１とからなり、台紙の表面に女性Ｋ１が描かれ、その女性の腰及び胸に相当する部分に、長孔１３、１４が形成されている。一方の靴下の爪先部分及びウェルト部分をその靴下の側部中央先部分から寄せ集めながら（ギャザーを生じさせながら）腰部分の長孔１３を通して差し込み、他方の靴下の爪先部分又はウェルト部分を寄せ集めながら台紙の裏面から胸部分の長孔１４を通して表面に引き出した後、腰部分の長孔１３を通して裏面に引き込む。この包装態様の販売は、エプロンを付けた女性が描かれたものとなり、靴下を女性に販売する場合、女性の興味を引くものとなる。【選択図】図１
0003206708.tif 000002
【実用新案登録請求の範囲】
【請求項１】
一対の靴下（Ａ１、Ａ１ａ、Ａ１ｂ）と、その包装用台紙（Ｂ１）とからなり、前記台紙（Ｂ１）の表面に料理人（Ｋ１）が描かれているとともに、台紙（Ｂ１）の前記料理人（Ｋ１）の腰に相当する部分及び胸に相当する部分に、横方向に長い長孔（１３、１４）がそれぞれ形成されており、
一方の靴下（Ａ１ａ）は、その爪先（ａ）部分及びウェルト（ｂ）部分をその靴下（Ａ１ａ）の側部中央先部分からその部分を寄せ集めながら前記腰部分の長孔（１３）を通して前記台紙（Ｂ１）裏面に差し込まれて、台紙（Ｂ１）の表面でエプロンのスカート部（Ｅ１）を呈しており、
他方の靴下（Ａ１ｂ）は、その爪先（ａ）部分又はウェルト（ｂ）部分からその部分を寄せ集めながら前記台紙（Ｂ１）の裏面から胸部分の長孔（１４）を通して表面に引き出された後、上記腰部分の長孔（１３）を通して裏面に引き込まれて、エプロンの胸当て部（Ｅ２）を呈している靴下の包装構造。
【請求項２】
一対の靴下（Ａ４、Ａ４ａ、Ａ４ｂ）と、その包装用台紙（Ｂ２）とからなり、その台紙（Ｂ２）の所要位置の上下左右にそれぞれ孔（２３、２３、２４、２４）が形成されており、前記一方の靴下（Ａ４ａ）の爪先（ａ）がその台紙（Ｂ２）の裏から左右の孔（２３、２３）の一方から表に引き出されて他方から台紙（Ｂ２）の裏に引き込まれており、他方の靴下（Ａ４ｂ）の爪先（ａ）がその台紙（Ｂ２）の裏から上下の孔（２４、２４）の一方から表に引き出されて前記一方の靴下（Ａ４ａ）の上側を通って他方から台紙（Ｂ２）の裏に引き込まれて、包装用台紙（Ｂ２）の表面において、前記対の靴下（Ａ４ａ、Ａ４ｂ）によって蝶リボンを表現している靴下の包装構造。
【請求項３】
一対の靴下（Ａ５、Ａ５ａ、Ａ５ｂ）と、その包装箱（Ｂ３）とからなり、その包装箱（Ｂ３）の裏板表面にメッセージ欄（Ｓ）が形成され、前記包装箱（Ｂ３）の表板（３１）の上下には３個の横方向のスリット（３３、３４、３５）が形成されており、前記包装箱（Ｂ３）内に前記一対の靴下（Ａ５ａ、Ａ５ｂ）が収納され、その一方の靴下（Ａ５ａ）は、爪先（ａ）側から前記最下方のスリット（３３）を通して包装箱表板（３１）の表面に導かれた後、前記中間のスリット（３４）を通して包装箱表板（３１）の裏面に導かれて最上側のスリット（３４）から表面に突出して、包装箱表板（３１）表面でローソク状を呈している靴下の包装構造。
【請求項４】
一対の靴下（Ａ６、Ａ６ａ、Ａ６ｂ）と、その包装箱（Ｂ４）とからなり、その包装箱（Ｂ４）の表板（４１）表面には女性（Ｋ４）が描かれ、その女性（Ｋ４）の頭部下側の包装箱表板（４１）に横方向の直線状スリット（４３）が形成されているとともに、そのスリット（４３）の上側の包装箱表板（４１）に横方向の波状スリット（４４）が形成されており、前記包装箱（Ｂ４）内に前記一対の靴下（Ａ６ａ、Ａ６ｂ）が収納され、その一方の靴下（Ａ６ａ）は、爪先（ａ）又はウェルト（ｂ）側から前記直線状スリット（４３）を通して包装箱表板（４１）の表面に導かれた後、前記波状スリット（４４）を通して包装箱表板（４１）の裏面に導かれて、冠（Ｃ）を呈している靴下の包装構造。
【考案の詳細な説明】
【技術分野】
【０００１】
この考案は、靴下とその包装用台紙（包装箱も含む）によって種々の態様を表現するようにした靴下の包装構造に関するものである。
【背景技術】
【０００２】
靴下（ソックス）は脚部を被う衣類であり、その表面模様は編み糸の色や編み方を変化させることによって種々のものが得られる。
このような靴下において、その靴下表面に絵柄を施（形成）したり（特許文献１要約参照）、その絵柄を発光ダイオードによって照射したりして（特許文献２要約参照）、特異性を出したものがある。
一方、靴下の包装態様を変化させて販売促進を図ろうとする考えも示されている（特許文献３〜５参照）。
【先行技術文献】
【特許文献】
【０００３】
【特許文献１】特開２００２−２０９０３号公報
【特許文献２】特開２０１１−４７０７３号公報
【特許文献３】実開昭６３−２８６８６号公報
【特許文献４】実用新案登録第３１１６１１４号公報
【特許文献５】実用新案登録第３１８３８４６号公報
【考案の概要】
【考案が解決しようとする課題】
【０００４】
この考案は、以上の実情の下、靴下とその包装用台紙（包装箱）によって各種の衣料の使用態様等を表現して販売促進を図ることを課題とする。
【課題を解決するための手段】
【０００５】
この考案の一手段は、一対の靴下と、その包装用台紙とからなり、台紙の表面に料理人が描かれているとともに、台紙の料理人の腰に相当する部分及び胸に相当する部分に、横方向に長い長孔がそれぞれ形成されており、一方の靴下は、その爪先部分及びウェルト部分をその靴下の側部中央先部分からその部分を寄せ集めながら（ギャザーを生じさせながら）前記腰部分の長孔を通して差し込まれて、台紙の表面でエプロンのスカート部を呈しており、他方の靴下は、その爪先部分又はウェルト部分からその部分を寄せ集めながら（ギャザーを生じさせながら）前記台紙の裏面から胸部分の長孔を通して表面に引き出された後、腰部分の長孔を通して裏面に引き込まれて、エプロンの胸当て部を呈している構成を採用したのである。
このように構成すれば、エプロンを付けた料理人が描かれた包装態様となり、靴下を女性等に販売する場合、その女性等が興味を引くものとなる。このため、販売促進を図ることができる。
【０００６】
この考案の他の手段は、一対の靴下と、その包装用台紙とからなり、その台紙の所要位置の上下左右にそれぞれ孔が形成されており、前記一方の靴下の爪先がその台紙の裏から左右の孔の一方から表に引き出されて他方から台紙の裏に引き込まれており、他方の靴下の爪先がその台紙の裏から上下の孔の一方から表に引き出されて前記一方の靴下の上側を通って他方から台紙の裏に引き込まれて、包装用台紙の表面において、前記対の靴下によって蝶リボンを表現している構成を採用することができる。
このように構成すれば、従来と異なった包装態様とすることができ、顧客に興味を引くものとなる。このため、販売促進を図ることができる。
【０００７】
この考案のさらに他の手段は、一対の靴下と、その包装箱とからなり、その包装箱の裏板表面にメッセージ欄が形成され、前記包装箱の表板の上下には３個の横方向のスリットが形成されており、前記包装箱内に前記一対の靴下が収納され、その一方の靴下は、爪先側から前記最下方のスリットを通して包装箱表板の表面に導かれた後、前記中間のスリットを通して包装箱表板の裏面に導かれて最上側のスリットから突出して、包装箱表板の表面でローソク状を呈している構成を採用することができる。
このように構成すれば、例えば、最下方と中間のスリットから表面に現れた部分をろうそくの本体部分、最上側のスリットから突出した爪先部分を炎の色合いにすれば、ろうそく態様が現れ、従来と異なった包装態様とすることができ、顧客に興味を引くものとなる。このため、販売促進を図ることができる。
【０００８】
この考案のさらに他の手段は、一対の靴下と、その包装箱とからなり、その包装箱の表板表面には女性が描かれ、その女性の頭部下側の包装箱表板に横方向の直線状スリットが形成されているとともに、そのスリットの上側の包装箱表板に横方向の波状スリットが形成されており、前記包装箱内に前記一対の靴下が収納され、その一方の靴下は、爪先又はウェルト側から前記直線状スリットを通して包装箱表板の表面に導かれた後、前記波状スリットを通して包装箱表板の裏面に導かれて、冠を呈している構成を採用することができる。
このように構成すれば、冠をした王姫等の女性が描かれた包装態様となり、靴下を女性に販売する場合、その女性が興味を引くものとなる。このため、販売促進を図ることができる。
【考案の効果】
【０００９】
この考案は、以上のように構成して、靴下とその包装用台紙によって衣料の使用態様等を表現したので、靴下の斬新な販売態様となって販売促進を図ることができる。
【図面の簡単な説明】
【００１０】
【図１】この考案に係る一の靴下の包装態様の一実施形態の正面斜視図
【図２】同実施形態に使用する靴下を示し、（ａ）は平面図、（ｂ）は裏面図
【図３】同実施形態に使用する包装箱（包装用台紙）の斜視図
【図４】同実施形態の包装箱の展開状態を示し、（ａ）は表板を開放した正面斜視図、（ｂ）は同背面斜視図、（ｃ）は展開図
【図５Ａ】同実施形態の包装箱への一の靴下の包装作用を示す正面斜視図
【図５Ｂ】同包装作用を示す正面斜視図
【図５Ｃ】同包装作用を示し、（ａ）は正面斜視図、（ｂ）は背面一部斜視図
【図５Ｄ】同包装作用を示し、（ａ）は正面一部斜視図、（ｂ）は背面一部斜視図
【図５Ｅ】同包装作用を示す正面斜視図
【図５Ｆ】同包装作用を示す正面斜視図
【図５Ｇ】同包装作用を示す背面一部斜視図であり、（ａ）は靴下のウェルト部の折り畳み前、（ｂ）は同折り畳み途中、（ｃ）は同折り畳み後
【図６】同実施形態の包装箱への他の靴下の包装態様の実施形態を示し、（ａ）は正面斜視図、（ｂ）は靴下の表裏平面図
【図７】同実施形態の包装箱へのさらに他の靴下の包装態様の実施形態を示し、（ａ）は正面斜視図、（ｂ）は靴下の表裏平面図
【図８】この考案に係る靴下の包装態様の他の実施形態を示し、（ａ）の正面斜視図、（ｂ）は同靴下の平面図
【図９】同実施形態の包装箱の展開状態を示し、（ａ）は展開状態の正面図、（ｂ）は同背面図
【図１０】同実施形態の包装箱への靴下の包装作用を示し、（ａ）は正面一部斜視図、（ｂ）は背面一部斜視図
【図１１】同包装作用を示し、（ａ）は正面一部斜視図、（ｂ）は背面一部斜視図
【図１２】同包装作用を示し、（ａ）は正面斜視図、（ｂ）は背面斜視図
【図１３】同靴下包装途中の背面斜視図
【図１４】この考案に係る靴下の包装態様のさらに他の実施形態を示し、（ａ）の正面斜視図、（ｂ）は靴下の平面図
【図１５】同実施形態の包装箱の展開状態を示し、（ａ）は展開状態の正面図、（ｂ）は同背面図
【図１６】同実施形態の包装箱への靴下の包装作用を示し、（ａ）は背面一部斜視図、（ｂ）は正面一部斜視図
【図１７】同包装作用を示し、（ａ）は途中の背面斜視図、（ｂ）は対の靴下を収めた背面斜視図
【図１８】同靴下包装途中の背面斜視図
【図１９】この考案に係る靴下の包装態様のさらに他の実施形態を示し、（ａ）の正面斜視図、（ｂ）は靴下の平面図
【図２０】同実施形態の包装箱の展開状態を示し、（ａ）は展開状態の正面斜視図、（ｂ）は同背面斜視図
【図２１】同実施形態の包装箱への靴下の包装作用を示す背面斜視図
【図２２】同実施形態の包装箱への靴下の包装作用を示す背面斜視図
【図２３】同靴下包装途中の背面斜視図
【考案を実施するための形態】
【００１１】
この考案に係る靴下の包装構造の一実施形態を図１〜図５Ｇに示し、この靴下Ａ１（Ａ１ａ、Ａ１ｂ）は、丸編みや平編み等の従来周知の種々の編み方で製造され、踵部（踵）を有するものと、踵の無いものがある。後者の踵の無い物は、足の大きさの制限が少ないため、ロット数を減らすことができる。この実施形態においては、踵の無い物としたが、踵を有するものも採用し得る（図８（ｂ）参照）。
【００１２】
この実施形態は、図２に示す対の靴下Ａ１（Ａ１ａ、Ａ１ｂ）と、図３、図４に示す、その包装用台紙（包装箱）Ｂ１とからなる。対の靴下Ａ１は、表裏に同じ模様（柄）が施されている（図２の（ａ）（ｂ）参照）。表裏が異なる模様としても良いが、図示のエプロン模様が好ましい。
包装箱Ｂ１は、紙カートンからなり、その表板（包装用台紙）１１に料理人である主婦Ｋ１の一態様が、裏板１２にメッセージスペース（欄）Ｓがそれぞれ記載されて（描かれて）いる。料理人は主婦Ｋ１に限らず、男性（主夫）としたり、シェフとしたりすることができる。
【００１３】
図３、図４に示すように、その包装箱Ｂ１の表板１１の主婦Ｋ１の腰部と、その胸部にそれぞれ四角状の長孔１３、１４が形成されている。その表板１１の上下の長孔１３、１４の位置は、その長孔１３、１４に靴下Ａ１を差し入れて渡した際、その渡した靴下Ａ１によってエプロンの胸カバー部分Ｅ２を構成するように設定する（図１参照）。
【００１４】
このカートンの包装用台紙Ｂ１に靴下Ａ１を包装する態様を説明すると、包装箱Ｂ１を展開した状態（図４（ａ））において、図５Ａから図５Ｂに示すように、対の一方の靴下Ａ１ａの爪先ａ部分を折り返した状態で上記腰部分の長孔１３に差し込む。このとき、その靴下Ａ１ａの側部中央先部分からその部分を寄せ集めながら（ギャザーを生じさせながら）差し込む。つづいて、図５Ｃに示すように、ウェルトｂ部分も、同様に、靴下Ａ１ａの側部中央先部分からその部分を寄せ集めながら長孔１３に差し込み、前記爪先ａ部分及びウェルトｂ部分のギャザーによって腰部分からスカートＥ１が拡がった態様とする。
【００１５】
さらに、図５Ｄに示すように、他方の靴下Ａ１ｂの爪先ａ部分を長孔１３の上側（一方の靴下Ａ１の上側）に差し入れ、つづいて、図５Ｅから図５Ｆに示すように、その他方の靴下Ａ１ｂのウェルトｂ部分を胸部の長孔１４に差し入れ、その他方の靴下Ａ１ｂの長孔１３から長孔１４に至る部分が膨らんでエプロンの胸カバー部Ｅ２の態様となるように、図５Ｇに示すように、ウェルトｂ部分をその部分を寄せ集めながら（ギャザーを生じさせながら）差し入れ（表板１１の裏面に引き入れ）、同図（ｂ）、同（ｃ）に示すように折り返して重ねる。このとき、他方の靴下Ａ１ｂはそのウェルトｂ部分を腰部の長孔１３、爪先ａ部分を胸部の長孔１４にそれぞれ差し込むようにすることもできる。
【００１６】
この状態になれば、包装用台紙Ｂ１の表板１１と裏板１２を重ねて組み立て、図１に示すように、包装用台紙Ｂ１の表面に靴下Ａ１から成るエプロンを着用した主婦Ｋ１の靴下包装箱Ｇを得る。このとき、箱から靴下Ａ１が出ないようにする。販売時には、さらなる透明包装シート等で包装することができ、購買者は、メッセージスペースＳに伝言を記載して、母、祖母や恋人への贈答品とする。この販売態様は、エプロンを付けた女性が描かれたギフトカード仕様の包装態様となり、靴下Ａを女性に販売する場合、その女性に興味を引くものとなる。このため、販売促進を図ることができる。
【００１７】
靴下Ａでエプロンを形成した他の実施形態を図６、図７に示し、この両実施形態は、同様に、一対の靴下Ａ２（Ａ２ａ、Ａ２ｂ）、Ａ３（Ａ３ａ、Ａ３ｂ）と、その包装用台紙（包装箱）Ｂ１とからなり、その靴下Ａ２、Ａ３の編み模様が異なる以外は、その靴下Ａ２、Ａ３の包装用台紙Ｂ１への包装態様は同じであって、販売やメッセージの記載も同様である。
【００１８】
図８〜図２３には、靴下Ａの各種の包装態様を示し、図８〜図１３に示す態様は、包装箱（包装用台紙）Ｂ２の表面に靴下Ａ４で蝶リボン（蝶ネクタイとも言える）を形成したものである。
その包装用台紙Ｂ２は、紙カートンからなり、図９に示すように、その表板（包装用台紙）２１に種々のデザインＫ２が記載され、裏板２２にメッセージスペースＳが記載されて（描かれて）いる。表板２１には、中程上側に上下左右の長孔２３、２３、２４，２４が形成されている。
【００１９】
このカートンの包装用台紙Ｂ２に靴下Ａ４を包装する態様を説明すると、図１０に示すように、包装箱Ｂ２を展開した状態において、一方の靴下Ａ４ａの爪先ａ部分及びウェルトｂ部分を表板２１の表面から長孔２３、２３にそれぞれ差し通し、図１１（ａ）に示すように、表板２１の表面において、両長孔２３、２３に亘る一方の靴下Ａ４ａをその両端部を折り返した状態とする。このとき、靴下Ａ４ａは、踵部から爪先ａの部分を幅方向均等に三つ折りしてその三つ折りが崩れ無いように両長孔２３、２３に差し通す。
つぎに、同図に示すように、上下の長孔２４、２４の下側の長孔２４に表板２１の裏面から他方の靴下Ａ４ｂの爪先ａ部分を引き出し、さらに、図１２に示すように、その引き出した爪先ａ部分を上側の長孔２４に差し入れて表板２１の裏面側に引き入れ、上記長孔２３、２３に亘る一方の靴下Ａ４ａを巻くようにする。このとき、靴下Ａ４ｂは、踵部から爪先ａの部分を幅方向均等に四つ折りしてその四つ折りが崩れ無いように両長孔２４、２４に差し通す。
この態様は「蝶リボン」の様であり、必要に応じ、両靴下Ａ４ａ、Ａ４ｂの長孔２３、２４の差し入れ・引き出し度合いを調整して美しい蝶リボン態様に調整する。このとき、他方の靴下Ａ４ｂは引き締めて一方の靴下Ａ４ａのその引き締め部分に皺を生じさせて蝶リボンらしくする（図１２（ａ）参照）。
【００２０】
この状態は表板２１の表面デザインにとけ込んだ蝶リボン付きのものとなり、両靴下Ａ４ａ、Ａ４ｂを包装箱Ｂ２内にその爪先ａ部分及びウェルトｂ部分を折り畳んでその厚みを均一とした後、図１３から図８（ａ）に示すように、包装用台紙Ｂ２の表板２１と裏板２２を重ねて組み立て、図８（ａ）に示す靴下包装箱Ｇを得る。このとき、箱から靴下Ａ４が出ないようにする。販売時には、さらなる透明包装シート等で包装することができ、購買者は、メッセージスペースＳに伝言を記載して、父、祖父や恋人等への贈答品とする。この販売態様は、蝶リボンを有するギフトカード仕様の包装態様となり、靴下を女性に販売する場合、その女性に興味を引くものとなる。このため、販売促進を図ることができる。
【００２１】
図１４〜図１８に示す態様は、靴下Ａ５によって、「ろうそく」を模したものである。その包装用台紙（包装箱）Ｂ３は、紙カートンからなり、図１５に示すように、その表板３１の表面に明かりを示すデザインＫ３が記載され、その周りには種々の字句が記載されている。裏板３２にはメッセージスペースＳが記載されている。表板３１には、中程の上下方向に３個の透孔３３，３４，３５が形成されている。
【００２２】
このカートンの包装用台紙Ｂ３に靴下Ａ５を包装する態様を説明すると、図１６に示すように、包装箱Ｂ３を展開した状態において、まず、一方の靴下Ａ４ａの爪先ａ部分を表板３１の裏面から下側透孔３３に差し通す（同図（ａ）参照）。このとき、靴下Ａ５ａは、踵部から爪先ａの部分を幅方向均等に二つ折りして透孔３３に差し通す。つぎに、所要長さ差し通して表板３１表面に引き出した後、同図（ｂ）に示すように、その差し通した爪先ａ部分を摘んでねじ回し、その爪先ａ部分を上側の透孔３４に表板３１の表面から差し通し（図１７（ａ）参照）、さらに、その爪先ａ部分を透孔３５に表板３１の裏面から差し通して表面に突出させる（図１７（ｂ）参照）。その突出長さは、図１４（ａ）に示すように、ストライプラインが現れないようにする。このとき、炎をなす部分以外の部分（ストライプライン部分）はそのラインが螺旋を描いているか確認し、描いていないのであれば、ねじ直す。
【００２３】
その後、一方の靴下Ａ５ａのウェルトｂ部分を折り畳むとともに、他方の靴下Ａ５ｂを綺麗に折り畳んで表裏板３１、３２の間に収納し（図１７（ｂ）参照）、包装箱Ｂ３の表板３１と裏板３２を重ねて組み立て（図１８参照）、図１４（ａ）に示す靴下包装箱Ｇを得る。このとき、箱から靴下Ａ５が出ないようにする。販売時には、さらなる透明包装シート等で包装することができ、購買者は、メッセージスペースＳに伝言を記載して、父、祖父や恋人等への贈答品とする。この販売態様は、「ろうそく」が一方の靴下Ａ５のねじれた部分で表され、爪先ａ部分で炎が表され、デザインＫ３によって、その炎で照らされたギフトカード仕様の包装態様となる。このため、販売促進を図ることができる。
なお、「ろうそく」を表現するため、靴下Ａ５はそのような編み方（模様）とする（図１４（ｂ）参照）。
【００２４】
図１９〜図２３に示す態様は、靴下Ａ６（Ａ６ａ、Ａ６ｂ）によって、「冠」を模したものである。その包装用台紙（包装箱）Ｂ４は、紙カートンからなり、図２０に示すように、その表板４１の表面に女性Ｋ４が描かれ、その女性Ｋ４の頭部下側の表板４１に横方向の直線状スリット４３が形成されているとともに、そのスリット４３の上側の表板４１に横方向の波状スリット４４が形成されている。
【００２５】
このカートンの包装箱Ｂ４に靴下Ａ６を包装する態様を説明すると、図２０、図２１に示すように、包装箱Ｂ４を展開した状態において、一方の靴下Ａ６ａの爪先ａ部分を表板４１の裏面から、直線状スリット４３に差し通し、その差し通した爪先ａ部分を波状スリット４４に表板４１の表面から差し通す。すると、図１９に示すように、女性Ｋ４の頭に冠Ｃが被さった態様となる。すなわち、王妃の姿となる。
この後、他方の靴下Ａ６ｂを包装箱Ｂ４に入れた後（図２２参照）、図２３から図１９に示すように、包装箱Ｂ４の表板４１と裏板４２を重ねて組み立て、図１９（ａ）に示すギフトカード仕様の靴下包装箱Ｇを得る。このとき、箱Ｂ４から靴下Ａ６が出ないようにする。販売時には、さらなる透明包装シート等で包装することができ、購買者は、メッセージスペースＳに伝言を記載して、恋人等への贈答品とする。
なお、「冠Ｃ」を表現するため、靴下Ａ６は金粉が散らばった状態の編み方（模様）とする（図１９（ｂ）参照）。
【００２６】
上記各実施形態において、靴下Ａａ、Ａｂの適宜位置をタッチャーで止着することができる。
各実施形態は、エプロン着用の仕様、蝶リボン仕様、ろうそく仕様、冠仕様の場合であったが、靴下Ａによって造形し得る物、例えば、ニットキャップ、スカート、カーテン、悪ガキのメガネや頭、ハート、バラなどの花、ピザ、バッグ、果物等を造形し、その造形に合った図柄を包装用台紙Ｂに描けば、靴下Ａの斬新な販売態様とすることができる。台紙は、箱に限らず、一枚の板であっても良く、また、合成樹脂等の材質を採用し得る。
このように、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００２７】
Ａ、Ａ１〜Ａ６  靴下
Ａａ、Ａ１ａ、Ａ２ａ、Ａ３ａ、Ａ４ａ、Ａ５ａ、Ａ６ａ  一方の靴下
Ａｂ、Ａ１ｂ、Ａ２ｂ、Ａ３ｂ、Ａ４ｂ、Ａ５ｂ、Ａ６ｂ  他方の靴下
Ｂ１〜Ｂ４  包装用台紙（包装箱）
ａ  各靴下の爪先部分
ｂ  同ウェルト部分
１１、２１、３１、４１  台紙の表板
１２、２２、３２、４２  台紙の裏板
１３、１４、２３、２４、３３、３４、３５、４３、４４  台紙の靴下通し孔（長孔）
【図１】
0003206708.tif 000003
【図２】
0003206708.tif 000004
【図３】
0003206708.tif 000005
【図４】
0003206708.tif 000006
【図５Ａ】
0003206708.tif 000007
【図５Ｂ】
0003206708.tif 000008
【図５Ｃ】
0003206708.tif 000009
【図５Ｄ】
0003206708.tif 000010
【図５Ｅ】
0003206708.tif 000011
【図５Ｆ】
0003206708.tif 000012
【図５Ｇ】
0003206708.tif 000013
【図６】
0003206708.tif 000014
【図７】
0003206708.tif 000015
【図８】
0003206708.tif 000016
【図９】
0003206708.tif 000017
【図１０】
0003206708.tif 000018
【図１１】
0003206708.tif 000019
【図１２】
0003206708.tif 000020
【図１３】
0003206708.tif 000021
【図１４】
0003206708.tif 000022
【図１５】
0003206708.tif 000023
【図１６】
0003206708.tif 000024
【図１７】
0003206708.tif 000025
【図１８】
0003206708.tif 000026
【図１９】
0003206708.tif 000027
【図２０】
0003206708.tif 000028
【図２１】
0003206708.tif 000029
【図２２】
0003206708.tif 000030
【図２３】
0003206708.tif 000031